(57)【要約】【課題】倍率が１以上の光学系を構成するレンズのうち、光学系の光学的性能により大きく影響するレンズが配設されたレンズアレイの熱変形を抑制して、光学系が適切な光学的性能を発揮することを可能とする技術を提供する。【解決手段】発光素子が第１の方向に配設された発光素子基板と、発光素子からの光が入射する第１のレンズが配設された第１のレンズアレイと、第１のレンズから射出された光が入射し、第１のレンズと横倍率の絶対値が１以上の光学系を構成する第２のレンズが配設された第２のレンズアレイと、発光素子基板に配設されて、第１のレンズアレイを支持する第１のスペーサーと、第１のレンズアレイに配設されるとともに、第１のスペーサーの第１の方向と直交する第２の方向の長さよりも長い第２の方向の長さを有し、第２のレンズアレイを支持する第２のスペーサーと、を備える。【選択図】図７
2011051235.tif 000002
【特許請求の範囲】
【請求項１】
発光素子が第１の方向に配設された発光素子基板と、
前記発光素子からの光が入射する第１のレンズが配設された第１のレンズアレイと、
前記第１のレンズから射出された光が入射し、前記第１のレンズと横倍率の絶対値が１以上の光学系を構成する第２のレンズが配設された第２のレンズアレイと、
前記発光素子基板に配設されて、前記第１のレンズアレイを支持する第１のスペーサーと、
前記第１のレンズアレイに配設されるとともに、前記第１のスペーサーの前記第１の方向と直交する第２の方向の長さよりも長い前記第２の方向の長さを有し、前記第２のレンズアレイを支持する第２のスペーサーと、
を備えることを特徴とする露光ヘッド。
【請求項２】
前記第２のスペーサーの熱伝導率は、前記第１のレンズアレイの熱伝導率よりも高い請求項１に記載の露光ヘッド。
【請求項３】
前記第１のレンズアレイは、ガラス基材を有し、前記レンズは前記ガラス基板に樹脂材料で形成されたものである請求項２記載の露光ヘッド。
【請求項４】
前記第２のスペーサーは金属である請求項２または３に記載の露光ヘッド。
【請求項５】
前記発光素子基板は、前記発光素子を駆動させる駆動素子が配設される請求項１ないし４のいずれか一項に記載の露光ヘッド。
【請求項６】
発光素子が第１の方向に配設された発光素子基板、前記発光素子からの光が入射する第１のレンズが配設された第１のレンズアレイ、前記第１のレンズから射出された光が入射して前記第１のレンズと横倍率の絶対値が１以上の光学系を構成する第２のレンズが配設された第２のレンズアレイ、前記発光素子基板に配設されて前記第１のレンズアレイを支持する第１のスペーサー、及び前記第１のレンズアレイに配設されるとともに前記第１のスペーサーの前記第１の方向と直交する第２の方向の長さよりも長い前記第２の方向の長さを有して前記第２のレンズアレイを支持する第２のスペーサーを有する露光ヘッドと、
前記発光素子から射出されて前記第１のレンズおよび前記第２のレンズで構成される光学系を透過した光が照射される像担持体と、
を備えることを特徴とする画像形成装置。
【発明の詳細な説明】
【技術分野】
【０００１】
この発明は、複数のレンズアレイを用いた露光ヘッドおよび画像形成装置に関する。
【背景技術】
【０００２】
従来から、レンズをアレイ配列したレンズアレイを用いた露光ヘッドが知られている。また、特許文献１では、２枚のレンズアレイを用いた露光ヘッドが提案されている。この露光ヘッドでは、２枚のレンズアレイが互いに対向するようにして支持されており、一方のレンズアレイにアレイ配列された複数のレンズと、他方のレンズアレイにアレイ配列された複数のレンズとが、一対一の対応関係で互いに向き合っている。そして、こうして互いに向き合う２枚のレンズが協働して１つの光学系として機能する。また、露光ヘッドでは、各光学系に対して発光素子が対向して設けられており、各光学系は対向する発光素子からの光を結像して、像担持体表面等の被露光面にスポットを形成する。
【先行技術文献】
【特許文献】
【０００３】
【特許文献１】特開２００９−０９８６１３号公報
【発明の概要】
【発明が解決しようとする課題】
【０００４】
ところで、２枚のレンズが協働して１つの光学系として機能する構成において、当該光学系の倍率の絶対値を１以上にしようとすると（すなわち、拡大像を結像するように光学系の倍率を設定しようとすると）、次のような問題が生じるおそれがあった。つまり、光学系の倍率の絶対値を１以上とした場合、当該光学系を構成する２枚のレンズのうち発光素子に近い方のレンズの位置が、光学系の光学的性能により大きく影響する傾向にある。一方で、発光素子は発光に伴なって発熱する。そのため、発光素子に近い方のレンズが配設されたレンズアレイにまで、発光素子からの熱が伝導すると、当該レンズアレイに配設されたレンズ（つまり、発光素子に近いほうのレンズ）が熱変形を起こして光学特性が変化したり、レンズアレイが熱変形を起こして、当該レンズアレイに配設されたレンズ（つまり、発光素子に近いほうのレンズ）の位置が変動する場合があった。その結果、光学系が適切な光学的性能を発揮できないおそれがあった。
【０００５】
この発明は上記課題に鑑みてなされたものであり、倍率が１以上の光学系を構成するレンズのうち、光学系の光学的性能により大きく影響するレンズが配設されたレンズアレイの熱変形を抑制して、光学系が適切な光学的性能を発揮することを可能とする技術の提供を目的とする。
【課題を解決するための手段】
【０００６】
この発明にかかる露光ヘッドは、上記目的を達成するために、発光素子が第１の方向に配設された発光素子基板と、発光素子からの光が入射する第１のレンズが配設された第１のレンズアレイと、第１のレンズから射出された光が入射し、第１のレンズと横倍率の絶対値が１以上の光学系を構成する第２のレンズが配設された第２のレンズアレイと、発光素子基板に配設されて、第１のレンズアレイを支持する第１のスペーサーと、第１のレンズアレイに配設されるとともに、第１のスペーサーの第１の方向と直交する第２の方向の長さよりも長い第２の方向の長さを有し、第２のレンズアレイを支持する第２のスペーサーと、を備えることを特徴としている。
【０００７】
この発明にかかる画像形成装置は、上記目的を達成するために、発光素子が第１の方向に配設された発光素子基板、発光素子からの光が入射する第１のレンズが配設された第１のレンズアレイ、第１のレンズから射出された光が入射して第１のレンズと横倍率の絶対値が１以上の光学系を構成する第２のレンズが配設された第２のレンズアレイ、発光素子基板に配設されて第１のレンズアレイを支持する第１のスペーサー、及び第１のレンズアレイに配設されるとともに第１のスペーサーの第１の方向と直交する第２の方向の長さよりも長い第２の方向の長さを有して第２のレンズアレイを支持する第２のスペーサーを有する露光ヘッドと、発光素子から射出されて第１のレンズおよび第２のレンズで構成される光学系を透過した光が照射される像担持体と、を備えることを特徴としている。
【０００８】
このように構成された発明（露光ヘッド、画像形成装置）では、発光素子が配設された発光素子基板と、発光素子からの光が入射する第１のレンズが配設された第１のレンズアレイと、第１のレンズから射出された光が入射する第２のレンズが配設された第２のレンズアレイとが備えられている。そして、第１のレンズアレイは当該第１のレンズアレイと発光素子基板との間に配設された第１のスペーサーにより支持されるとともに、第２のレンズアレイは当該第２のレンズアレイと第１のレンズアレイとの間に配設された第２のスペーサーにより支持される。そして、発光素子基板の発光素子が発光に伴なって発熱して、第１のスペーサーを介して第１のレンズアレイにまで熱が伝導することで、次のような問題が生じるおそれがあった。
【０００９】
つまり、この発明では、発光素子からの光は、第１のレンズから射出された後に第２のレンズに入射することで、これら第１のレンズおよび第２のレンズが構成する光学系から光学的作用を受ける。しかも、この光学系の横倍率の絶対値は１以上である。このような構成では、上述と同様に、発光素子により近い第１のレンズの位置が光学系の光学的性能に大きく影響することとなる。そのため、発光素子基板から第１のスペーサーを介して第１のレンズアレイに伝導して、第１のレンズあるいは第１のレンズアレイが熱変形を起こすことで、光学系の光学的性能が悪化してしまうおそれがあった。
【００１０】
そこで、かかる問題に対応すべく、この発明では、第１の方向に直交する第２の方向において、第２のスペーサーの長さは第１のスペーサーの長さよりも長い。つまり、上述の露光ヘッドは、第１のスペーサーと第２のスペーサーとで第１のレンズアレイを挟んだような構成を備えている。したがって、第２のスペーサーの長さを第１のスペーサーの長さよりも広くすることで、第１のスペーサーから第１のレンズアレイに伝導した熱を第２のスペーサーで吸収することができる。すなわち、第２のスペーサーが第１のレンズアレイを冷却する機能を果たすため、第１のレンズアレイおよび当該第１のレンズアレイに配設された第１のレンズの熱変形を抑制できる。その結果、第１のレンズおよび第２のレンズが構成する光学系が適切な光学的性能を発揮することが可能となっている。
【００１１】
また、第２のスペーサーの熱伝導率は、第１のレンズアレイの熱伝導率よりも高いように構成しても良い。このように構成することで、第１のレンズアレイから第２のスペーサーへの熱伝導を促進することができるため、その結果、第１のレンズアレイおよび当該第１のレンズアレイに配設された第１のレンズの熱変形をより確実に抑えて、第１のレンズおよび第２のレンズが構成する光学系が適切な光学的性能をより確実に発揮することができる。
【００１２】
そこで、第２のスペーサーは金属であっても良い。
【００１３】
また、発光素子基板には、発光素子を駆動させる駆動素子が配設される構成に対しては、本発明を適用することが特に好適である。つまり、駆動素子は発光素子の駆動に伴なって発熱するため、この駆動素子からの熱が第１のスペーサーを介して第１のレンズアレイへと伝導するおそれがある。したがって、駆動素子を発光素子基板に配設した露光ヘッドに対しては、本発明を適用することで、第１のレンズアレイへの熱伝導を抑制して、第１のレンズおよび第２のレンズが構成する光学系の適切な光学的性能を担保することが好適となる。
【図面の簡単な説明】
【００１４】
【図１】本発明を適用可能な画像形成装置の一例を示す図。
【図２】図１の画像形成装置が備える電気的構成を示すブロック図。
【図３】ラインヘッドの概略を示す部分斜視図。
【図４】厚さ方向からヘッド基板を平面視した部分平面図。
【図５】ラインヘッドのＡ−Ａ線における部分断面図。
【図６】ラインヘッドの部分側面図。
【図７】ラインヘッドのＡ−Ａ線における部分詳細断面図。
【図８】スペーサーＳＰ2に対してスペーサーＳＰ1をずらして配置した理由の説明図。
【発明を実施するための形態】
【００１５】
図１は本発明を適用可能な画像形成装置の一例を示す図である。また、図２は図１の画像形成装置が備える電気的構成を示すブロック図である。この装置は、ブラック（Ｋ）、シアン（Ｃ）、マゼンダ（Ｍ）、イエロー（Ｙ）の４色のトナーを重ね合わせてカラー画像を形成するカラーモードと、ブラック（Ｋ）のトナーのみを用いてモノクロ画像を形成するモノクロモードとを選択的に実行可能な画像形成装置である。なお図１は、カラーモード実行時に対応する図である。この画像形成装置では、ホストコンピューターなどの外部装置から画像形成指令がＣＰＵやメモリーなどを有するメインコントローラーＭＣに与えられると、このメインコントローラーＭＣはエンジンコントローラーＥＣに制御信号などを与えるとともに画像形成指令に対応するビデオデータＶＤをヘッドコントローラーＨＣに与える。このとき、メインコントローラーＭＣは、ヘッドコントローラーＨＣから水平リクエスト信号ＨＲＥＱを受け取る毎に、主走査方向ＭＤに１ライン分のビデオデータＶＤをヘッドコントローラーＨＣに与える。また、このヘッドコントローラーＨＣは、メインコントローラーＭＣからのビデオデータＶＤとエンジンコントローラーＥＣからの垂直同期信号Ｖsyncおよびパラメータ値とに基づき各色のラインヘッド２９を制御する。これによって、エンジン部ＥＮＧが所定の画像形成動作を実行し、複写紙、転写紙、用紙およびＯＨＰ用透明シートなどのシートに画像形成指令に対応する画像を形成する。
【００１６】
画像形成装置が有するハウジング本体３内には、電源回路基板、メインコントローラーＭＣ、エンジンコントローラーＥＣおよびヘッドコントローラーＨＣを内蔵する電装品ボックス５が設けられている。また、画像形成ユニット７、転写ベルトユニット８および給紙ユニット１１もハウジング本体３内に配設されている。また、図１においてハウジング本体３内右側には、２次転写ユニット１２、定着ユニット１３、シート案内部材１５が配設されている。なお、給紙ユニット１１は、装置本体１に対して着脱自在に構成されている。そして、該給紙ユニット１１および転写ベルトユニット８については、それぞれ取り外して修理または交換を行うことが可能な構成になっている。
【００１７】
画像形成ユニット７は、複数の異なる色の画像を形成する４個の画像形成ステーションＹ（イエロー用）、Ｍ（マゼンダ用）、Ｃ（シアン用）、Ｋ（ブラック用）を備えている。また、各画像形成ステーションＹ，Ｍ，Ｃ，Ｋは、主走査方向ＭＤに所定長さの表面を有する円筒形の感光体ドラム２１を設けている。そして、各画像形成ステーションＹ，Ｍ，Ｃ，Ｋそれぞれは、対応する色のトナー像を、感光体ドラム２１の表面に形成する。感光体ドラム２１は、軸方向が主走査方向ＭＤに平行もしくは略平行となるように配置されている。また、各感光体ドラム２１はそれぞれ専用の駆動モーターに接続され図中矢印Ｄ21の方向に所定速度で回転駆動される。これにより感光体ドラム２１の表面が、主走査方向ＭＤに直交もしくは略直交する副走査方向ＳＤに搬送されることとなる。また、感光体ドラム２１の周囲には、回転方向に沿って帯電部２３、ラインヘッド２９、現像部２５および感光体クリーナー２７が配設されている。そして、これらの機能部によって帯電動作、潜像形成動作及びトナー現像動作が実行される。したがって、カラーモード実行時は、全ての画像形成ステーションＹ，Ｍ，Ｃ，Ｋで形成されたトナー像を転写ベルトユニット８が有する転写ベルト８１に重ね合わせてカラー画像を形成するとともに、モノクロモード実行時は、画像形成ステーションＫで形成されたトナー像のみを用いてモノクロ画像を形成する。なお、図１において、画像形成ユニット７の各画像形成ステーションは構成が互いに同一のため、図示の便宜上一部の画像形成ステーションのみに符号をつけて、他の画像形成ステーションについては符号を省略する。
【００１８】
帯電部２３は、その表面が弾性ゴムで構成された帯電ローラーを備えている。この帯電ローラーは帯電位置で感光体ドラム２１の表面と当接して従動回転するように構成されており、感光体ドラム２１の回転動作に伴って感光体ドラム２１に対して従動方向に周速で従動回転する。また、この帯電ローラーは帯電バイアス発生部（図示省略）に接続されており、帯電バイアス発生部からの帯電バイアスの給電を受けて帯電部２３と感光体ドラム２１が当接する帯電位置で感光体ドラム２１の表面を帯電させる。
【００１９】
ラインヘッド２９は感光体ドラム２１に対して離間して配置されており、ラインヘッド２９の長手方向は主走査方向ＭＤに平行もしくは略平行であるとともに、ラインヘッド２９の幅方向は副走査方向ＳＤに平行もしくは略平行である。このラインヘッド２９は複数の発光素子を備えており、各発光素子はヘッドコントローラーＨＣからのビデオデータＶＤに応じて発光する。そして、帯電した感光体ドラム２１表面に発光素子からの光が照射されることで、感光体ドラム２１表面に静電潜像が形成される。
【００２０】
現像部２５は、その表面にトナーを担持する現像ローラー２５１を有する。そして、現像ローラー２５１と電気的に接続された現像バイアス発生部（図示省略）から現像ローラー２５１に印加される現像バイアスによって、現像ローラー２５１と感光体ドラム２１とが当接する現像位置において、帯電トナーが現像ローラー２５１から感光体ドラム２１に移動してラインヘッド２９により形成された静電潜像が顕在化される。
【００２１】
このように上記現像位置において顕在化されたトナー像は、感光体ドラム２１の回転方向Ｄ21に搬送された後、転写ベルト８１と各感光体ドラム２１が当接する１次転写位置ＴＲ1において転写ベルト８１に１次転写される。
【００２２】
また、この実施形態では、感光体ドラム２１の回転方向Ｄ21の１次転写位置ＴＲ1の下流側で且つ帯電部２３の上流側に、感光体ドラム２１の表面に当接して感光体クリーナー２７が設けられている。この感光体クリーナー２７は、感光体ドラムの表面に当接することで１次転写後に感光体ドラム２１の表面に残留するトナーをクリーニング除去する。
【００２３】
転写ベルトユニット８は、駆動ローラー８２と、図１において駆動ローラー８２の左側に配設される従動ローラー８３（ブレード対向ローラー）と、これらのローラーに張架され図示矢印Ｄ81の方向（搬送方向）へ循環駆動される転写ベルト８１とを備えている。また、転写ベルトユニット８は、転写ベルト８１の内側に、感光体カートリッジ装着時において各画像形成ステーションＹ，Ｍ，Ｃ，Ｋが有する感光体ドラム２１各々に対して一対一で対向配置される、４個の１次転写ローラー８５Ｙ，８５Ｍ，８５Ｃ，８５Ｋを備えている。これらの１次転写ローラー８５は、それぞれ１次転写バイアス発生部（図示省略）と電気的に接続される。そして、カラーモード実行時は、図１に示すように全ての１次転写ローラー８５Ｙ，８５Ｍ，８５Ｃ，８５Ｋを画像形成ステーションＹ，Ｍ，Ｃ，Ｋ側に位置決めすることで、転写ベルト８１を画像形成ステーションＹ，Ｍ，Ｃ，Ｋそれぞれが有する感光体ドラム２１に押し遣り当接させて、各感光体ドラム２１と転写ベルト８１との間に１次転写位置ＴＲ1を形成する。そして、適当なタイミングで上記１次転写バイアス発生部から１次転写ローラー８５に１次転写バイアスを印加することで、各感光体ドラム２１の表面上に形成されたトナー像を、それぞれに対応する１次転写位置ＴＲ1において転写ベルト８１表面に転写してカラー画像を形成する。
【００２４】
一方、モノクロモード実行時は、４個の１次転写ローラー８５のうち、カラー１次転写ローラー８５Ｙ，８５Ｍ，８５Ｃをそれぞれが対向する画像形成ステーションＹ，Ｍ，Ｃから離間させるとともにモノクロ１次転写ローラー８５Ｋのみを画像形成ステーションＫに当接させることで、モノクロ画像形成ステーションＫのみを転写ベルト８１に当接させる。その結果、モノクロ１次転写ローラー８５Ｋと画像形成ステーションＫとの間にのみ１次転写位置ＴＲ1が形成される。そして、適当なタイミングで前記１次転写バイアス発生部からモノクロ１次転写ローラー８５Ｋに１次転写バイアスを印加することで、各感光体ドラム２１の表面上に形成されたトナー像を、１次転写位置ＴＲ1において転写ベルト８１表面に転写してモノクロ画像を形成する。
【００２５】
さらに、転写ベルトユニット８は、モノクロ１次転写ローラー８５Ｋの下流側で且つ駆動ローラー８２の上流側に配設された下流ガイドローラー８６を備える。また、この下流ガイドローラー８６は、モノクロ１次転写ローラー８５Ｋが画像形成ステーションＫの感光体ドラム２１に当接して形成する１次転写位置ＴＲ1での１次転写ローラー８５Ｋと感光体ドラム２１との共通内接線上において、転写ベルト８１に当接するように構成されている。
【００２６】
駆動ローラー８２は、転写ベルト８１を図示矢印Ｄ81の方向に循環駆動するとともに、２次転写ローラー１２１のバックアップローラーを兼ねている。駆動ローラー８２の周面には、厚さ３mm程度、体積抵抗率が１０００ｋΩ・ｃｍ以下のゴム層が形成されており、金属製の軸を介して接地することにより、図示を省略する２次転写バイアス発生部から２次転写ローラー１２１を介して供給される２次転写バイアスの導電経路としている。このように駆動ローラー８２に高摩擦かつ衝撃吸収性を有するゴム層を設けることにより、駆動ローラー８２と２次転写ローラー１２１との当接部分（２次転写位置ＴＲ２）へのシートが進入する際の衝撃が転写ベルト８１に伝達しにくく、画質の劣化を防止することができる。
【００２７】
給紙ユニット１１は、シートを積層保持可能である給紙カセット７７と、給紙カセット７７からシートを一枚ずつ給紙するピックアップローラー７９とを有する給紙部を備えている。ピックアップローラー７９により給紙部から給紙されたシートは、レジストローラー対８０において給紙タイミングが調整された後、シート案内部材１５に沿って２次転写位置ＴＲ２に給紙される。
【００２８】
２次転写ローラー１２１は、転写ベルト８１に対して離当接自在に設けられ、２次転写ローラー駆動機構（図示省略）により離当接駆動される。定着ユニット１３は、ハロゲンヒータ等の発熱体を内蔵して回転自在な加熱ローラー１３１と、この加熱ローラー１３１を押圧付勢する加圧部１３２とを有している。そして、その表面に画像が２次転写されたシートは、シート案内部材１５により、加熱ローラー１３１と加圧部１３２の加圧ベルト１３２３とで形成するニップ部に案内され、該ニップ部において所定の温度で画像が熱定着される。加圧部１３２は、２つのローラー１３２１，１３２２と、これらに張架される加圧ベルト１３２３とで構成されている。そして、加圧ベルト１３２３の表面のうち、２つのローラー１３２１，１３２２により張られたベルト張面を加熱ローラー１３１の周面に押し付けることで、加熱ローラー１３１と加圧ベルト１３２３とで形成するニップ部が広くとれるように構成されている。また、こうして定着処理を受けたシートはハウジング本体３の上面部に設けられた排紙トレイ４に搬送される。
【００２９】
また、この装置では、ブレード対向ローラー８３に対向してクリーナー部７１が配設されている。クリーナー部７１は、クリーナーブレード７１１と廃トナーボックス７１３とを有する。クリーナーブレード７１１は、その先端部を転写ベルト８１を介してブレード対向ローラー８３に当接することで、２次転写後に転写ベルトに残留するトナーや紙粉等の異物を除去する。そして、このように除去された異物は、廃トナーボックス７１３に回収される。
【００３０】
図３は、ラインヘッドの概略を示す部分斜視図である。同図では、ラインヘッド２９の厚さ方向ＴＫＤの構成を理解しやすくするために、ラインヘッド２９の長手方向ＬＧＤの端部（図３の左下端部）が断面で示されている。ここで、厚さ方向ＴＫＤは、長手方向ＬＧＤおよび幅方向ＬＴＤに垂直もしくは略垂直な方向であり、後述する発光素子Ｅが光を射出する側（つまり、ラインヘッド２９から感光体ドラム２１に向う側）を向いた方向とする。また、以後の実施形態の説明において、厚さ方向ＴＫＤの下流側（図３の上側）を「（厚さ方向ＴＫＤの）一方側」と称し、厚さ方向ＴＫＤの上流側（図３の下側）を「（厚さ方向ＴＫＤの）他方側」と称する。また、基板あるいは平板の一方側の面を表面と称し、基板あるいは平板の他方側の面を裏面と称することとする。
【００３１】
なお、この厚さ方向ＴＫＤは、レンズアレイＬＡ1のレンズＬＳ1とレンズアレイＬＡ2のレンズＬＳ2とが構成する結像光学系の光軸（図７の光軸ＯＡa、ＯＡb、ＯＡc）に平行である。ここで、光軸は次のように定義される。結像光学系は多くの場合、主走査方向ＭＤに垂直な対称面に関して面対称（鏡映対称）であり、かつ、副走査方向ＳＤに垂直な対称面に関して面対称（鏡映対称）である。このように、結像光学系は、主走査方向に垂直な第１対称面、および当該主走査方向ＭＤと直交する副走査方向ＳＤに垂直な第２対称面を有し、第１対称面と第２対称面の交線が定まる。結像光学系が回転対称である場合には、前述の第１対称面と第２対称面の交線は光軸と一致する。結像光学系が回転対称でない場合、厳密には結像光学系の光軸が定義されない場合があるが、そのような場合には、前述の交線を光軸として取り扱えばよい。
【００３２】
ラインヘッド２９は、ヘッド基板２９３、遮光部材２９７、レンズアレイＬＡ1およびレンズアレイＬＡ2をこの順番で厚さ方向ＴＫＤに配置した概略構成を備えている。ヘッド基板２９３の裏面には、複数の発光素子Ｅが所定個数毎に発光素子グループＥＧとしてグループ化されて二次元的かつ離散的に配置されている。また、ヘッド基板２９３の裏面には、これら複数の発光素子Ｅを封止するための封止部材２９４が取り付けられており、さらに、この封止部材２９４の裏面にはラインヘッド２９を構成する上記各部材を支持するための剛性部材２９９が取り付けられている。
【００３３】
ヘッド基板２９３とレンズアレイＬＡ1との間にはスペーサーＳＰ1が設けられており、このスペーサーＳＰ1がヘッド基板２９３とレンズアレイＬＡ1との間隔を規定する。なお、ヘッド基板２９３とレンズアレイＬＡ1との間には遮光部材２９７が配置されており、スペーサーＳＰ1は、遮光部材２９７に対して厚さ方向ＴＫＤ一方側で若干の間隔を空けてレンズアレイＬＡ1を支持する。レンズアレイＬＡ1とレンズアレイＬＡ2との間にはスペーサーＳＰ2が設けられており、このスペーサーＳＰ2がレンズアレイＬＡ1とレンズアレイＬＡ2との間隔を規定しながらレンズアレイＬＡ2を支持する。
【００３４】
こうしてラインヘッド２９では、ヘッド基板２９３、遮光部材２９７およびレンズアレイＬＡ1、ＬＡ2がこの順番で並んでいる。そして、ヘッド基板２９３の発光素子Ｅからの光が、遮光部材２９７の導光孔２９７１を通過して、レンズアレイＬＡ1、ＬＡ2のレンズＬＳ1、ＬＳ2により結像される。次に、各部材の詳細な構成について、図３、図４および図５を用いつつ説明する。
【００３５】
図４は、厚さ方向ＴＫＤからヘッド基板２９３を平面視した部分平面図であり、厚さ方向ＴＫＤの一方側（図３の上側）からヘッド基板２９３の裏面２９３−tを透視した場合に相当する。図５は、ラインヘッドのＡ−Ａ線における部分断面図であり、該断面を長手方向ＬＧＤ（主走査方向ＭＤ）から見た場合に相当する。このＡ−Ａ線断面は、長手方向ＬＧＤに距離Ｄgを空けるとともに幅方向ＬＴＤに距離Ｄtを空けて、一列に並ぶ３個の発光素子グループＥＧ（あるいは、３枚のレンズＬＳ1等）の各幾何重心（あるいは、各レンズ中心）を通る。また、図４、図５に示す方向Ｄlscは、Ａ−Ａ線に平行な方向である。さらに、図４では、ヘッド基板２９３に形成された発光素子グループＥＧ、レンズアレイＬＡ1に形成されたレンズＬＳ1およびレンズアレイＬＡ2に形成されたレンズＬＳ2の位置関係を示すために、レンズＬＳ1およびレンズＬＳ2がそれぞれ一点鎖線で併記されている。ちなみに、レンズＬＳ1およびレンズＬＳ2についての図中記載は、これらの位置関係を示すためのものであり、レンズＬＳ1およびレンズＬＳ2がヘッド基板裏面２９３−t（図５）に形成されていることを示すものではない。また、図５において、光透過性（つまり透明）である部材には、点の集合からなるハッチングが施されている。
【００３６】
ヘッド基板２９３は光を透過するガラス基板（光透過性基板）で構成されており、ヘッド基板裏面２９３−tでは、ボトムエミッション型の有機ＥＬ（Electro-Luminescence）素子である発光素子Ｅが複数形成されて、封止部材２９４により封止されている（図３、図５）。これら複数の発光素子Ｅは、互いに同一の発光スペクトルを有しており、光ビームを感光体ドラム２１表面へ向けて射出する。また、図４に示すように、ヘッド基板裏面２９３−tに形成された複数の発光素子Ｅの配置態様は、グループ構造を有している。つまり、１５個の発光素子Ｅが長手方向ＬＧＤに２行千鳥で配置されて１個の発光素子グループＥＧが構成されており、さらに複数の発光素子グループＥＧが長手方向ＬＧＤに３行千鳥で離散的に配置されている。
【００３７】
より詳しくは、この配置態様は次のように説明することができる。つまり、各発光素子グループＥＧ内では、１５個の発光素子Ｅが長手方向ＬＧＤの互いに異なる位置に配置されており、しかも長手方向ＬＧＤにおける位置が隣り合う２つの発光素子Ｅ、Ｅの長手方向ＬＧＤへの距離は素子間距離Ｐelとなっている（言い換えれば、各発光素子グループＥＧ内では、１５個の発光素子ＥがピッチＰelで長手方向ＬＧＤに配置されている）。そして、素子間距離Ｐelよりも長いグループ間距離Ｐegを空けて複数の発光素子グループＥＧが長手方向ＬＧＤに沿って離散的に並んで、１行の発光素子グループ行ＧＲa等が構成されている。さらに、３行の発光素子グループ行ＧＲa、ＧＲb、ＧＲcが距離Ｄtだけ空けて幅方向ＬＴＤの異なる位置に離散的に配置されており、しかも、発光素子グループ行ＧＲa、ＧＲb、ＧＲcのそれぞれは、長手方向ＬＧＤに距離Ｄgだけ相互にシフトされている。こうして、３個の発光素子グループＥＧが、長手方向ＬＧＤに距離Ｄgを空けるとともに幅方向ＬＴＤに距離Ｄtを空けて、方向Ｄlscに一列に並ぶ。
【００３８】
ここで、素子間距離Ｐelは、対象となる２個の発光素子Ｅの幾何重心間の長手方向ＬＧＤにおける距離として求めることができる。また、グループ間距離Ｐegは、対象となる２個の発光素子グループＥＧのうち、長手方向ＬＧＤの一方側の発光素子グループＥＧの他方側端部にある発光素子Ｅの幾何重心と、長手方向ＬＧＤの他方側の発光素子グループＥＧの一方側端部にある発光素子Ｅの幾何重心との長手方向ＬＧＤにおける距離として求めることができる。また、距離Ｄgは、長手方向ＬＧＤにおける位置が隣り合う２個の発光素子グループＥＧそれぞれの幾何重心間の長手方向ＬＧＤにおける距離として求めることができる。また、距離Ｄtは、幅方向ＬＴＤにおける位置が隣り合う２個の発光素子グループＥＧそれぞれの幾何重心間の幅方向ＬＴＤにおける距離として求めることができる。
【００３９】
このようにヘッド基板２９３の裏面２９３−tには、複数の発光素子グループＥＧが二次元的かつ離散的に配置されている。一方、ヘッド基板２９３の表面２９３−hには、遮光部材２９７が配置されている。遮光部材２９７には厚さ方向ＴＫＤに貫通する導光孔２９７１が複数形成されている。各導光孔２９７１は厚さ方向ＴＫＤからの平面視において円形状を有しており、その内壁には黒色メッキが施されている。この導光孔２９７１は、発光素子グループＥＧ毎に１個ずつ形成されており、すなわち、１個の発光素子グループＥＧに対して１個の導光孔２９７１が開口している。こうして、遮光部材２９７は、導光孔２９７１を発光素子グループＥＧに開口させた状態でヘッド基板表面２９３−hに当接して固定されている。
【００４０】
このような遮光部材２９７を設ける目的は、いわゆる迷光がレンズＬＳ1、ＬＳ2に入射するのを抑制するためである。つまり、各発光素子グループＥＧには、レンズ対ＬＳ1、ＬＳ2の対からなる結像光学系がそれぞれ専用に設けられている。このような構成では、光ビームは、それ自身の射出源である発光素子グループＥＧに設けられた結像光学系ＬＳ1、ＬＳ2にのみ入射して結像されることが望ましい。しかしながら、光ビームの一部には、その射出源である発光素子グループＥＧに設けられた結像光学系ＬＳ1、ＬＳ2に向わずに迷光となってしまうものもある。そして、このような迷光が、それ自身の射出源でない発光素子グループＥＧに設けられた結像光学系ＬＳ1、ＬＳ2に入射してしまうと、いわゆるゴーストが発生してしまうおそれがある。これに対して、この実施形態では、発光素子グループＥＧと結像光学系ＬＳ1、ＬＳ2との間に遮光部材２９７が設けられている。この遮光部材２９７には、内壁に黒色メッキが施された導光孔２９７１が発光素子グループＥＧに開口して設けられているため、迷光の多くは導光孔２９７１の内壁で吸収されることとなる。その結果、先ほどのゴーストを抑制して、良好な露光動作の実現が図られる。
【００４１】
そして、上述のとおり、これらヘッド基板２９３および遮光部材２９７の厚さ方向ＴＫＤの一方側には、レンズアレイＬＡ1、ＬＡ2が設けられており、これらレンズアレイＬＡ1、ＬＡ2はスペーサーＳＰ1、ＳＰ2により支持されている。以下に、これらレンズアレイＬＡ1、ＬＡ2の支持構造の詳細について、図３〜図５に加えて図６を用いて説明する。
【００４２】
図６は、ラインヘッドの部分側面図であり、幅方向ＬＴＤからラインヘッド２９を平面視した場合に相当する。ヘッド基板２９３の表面では、互いに同一の形状・大きさを有する複数のスペーサーＳＰ1が長手方向ＬＧＤに間隔ＣＬ1を空けて一列に並んでいる。また、このスペーサーＳＰ1の列は、幅方向ＬＴＤの両側に設けられている（図３、図５）。こうして、厚さ方向ＴＫＤからの平面視において、スペーサーＳＰ1の列が、ヘッド基板裏面２９３−tの発光素子Ｅが形成された領域を幅方向ＬＴＤから挟んで２列配置されることとなる（換言すれば、遮光部材２９７を幅方向ＬＴＤから挟んで２列配置されることとなる）。なお、これらのスペーサーＳＰ1は、ヘッド基板２９３の表面２９３−hに接着剤等により固定されている。
【００４３】
このようにして、２列に配置されたスペーサーＳＰ1に対して、レンズアレイＬＡ1が幅方向ＬＴＤに架設されており、これにより、レンズアレイＬＡ1がヘッド基板２９３の厚さ方向ＴＫＤの一方側で位置決めされる。このとき、レンズアレイＬＡ1のレンズＬＳ1が形成された領域が、幅方向ＬＴＤに並ぶ２列のスペーサーＳＰ1の列の間に位置するように、レンズアレイＬＡ1は配置される。このレンズアレイＬＡ1は、長手方向ＬＧＤの両端が斜めに（方向Ｄlscと平行に）カットされた平行四辺形形状のガラス基板ＳＢを有している。そして、このガラス基板ＳＢの裏面には、光硬化性樹脂で形成された複数のレンズＬＳ1がアレイ配置されている。これら複数のレンズＬＳ1は、対向する発光素子グループＥＧの配置に対応して３行千鳥で配置されている（図４）。
【００４４】
そして、図３、図６に示すように、複数のレンズアレイＬＡ1が長手方向ＬＧＤに並んで配設されている。つまり、この実施形態では、長手方向ＬＧＤに並ぶ複数のレンズアレイＬＡ1をスペーサーＳＰ1が支持して、１つの長尺レンズアレイＬ−ＬＡ1が構成されている。ちなみに、直方形状を有するスペーサーＳＰ1の長さは、レンズアレイＬＡ1の幅方向ＬＴＤの端辺の長手方向ＬＧＤの長さより短く、１枚のレンズアレイＬＡ1は、長手方向ＬＧＤに並ぶ複数のスペーサーＳＰ1で支持される。具体的には、これらスペーサーＳＰ1のうち、中央スペーサーＳＰ1−bはレンズアレイＬＡ1の長手方向ＬＧＤの略中央を支持し、端部スペーサーＳＰ1−aは長手方向ＬＧＤに隣り合う２枚のレンズアレイＬＡ1、ＬＡ1の隙間ＢＤ1を跨いで、該レンズアレイＬＡ1、ＬＡ1を支持する。なお、スペーサーＳＰ1とレンズアレイＬＡ1とは接着剤等により固定されている。
【００４５】
このようにして構成された長尺レンズアレイＬ−ＬＡ1の厚さ方向ＴＫＤの一方面には、互いに同一の形状・大きさを有する複数のスペーサーＳＰ2が長手方向ＬＧＤに間隔ＣＬ2を空けて一列に並んでいる。また、このスペーサーＳＰ2の列は、幅方向ＬＴＤの両側に設けられている（図３、図５）。こうして、厚さ方向ＴＫＤからの平面視において、スペーサーＳＰ2の列が、レンズアレイＬＡ1のレンズＬＳ1が形成された領域を幅方向ＬＴＤから挟んで２列配置されることとなる。なお、これらのスペーサーＳＰ1は、レンズアレイＬＡ1のガラス基板ＳＢの表面に接着剤等により固定されている。
【００４６】
このようにして、２列に配置されたスペーサーＳＰ2に対して、レンズアレイＬＡ2が幅方向ＬＴＤに架設されており、これにより、レンズアレイＬＡ2がレンズアレイＬＡ1の厚さ方向ＴＫＤの一方側で位置決めされる。このとき、レンズアレイＬＡ2のレンズＬＳ2が形成された領域が、幅方向ＬＴＤに並ぶ２列のスペーサーＳＰ2の列の間に位置するように、レンズアレイＬＡ2は配置される。このレンズアレイＬＡ2は、長手方向ＬＧＤの両端が斜めに（方向Ｄlscと並行に）カットされた平行四辺形形状のガラス基板ＳＢを有している。そして、このガラス基板ＳＢの裏面には、光硬化性樹脂で形成された複数のレンズＬＳ2がアレイ配置されている。これら複数のレンズＬＳ2は、対向する発光素子グループＥＧの配置に対応して３行千鳥で配置されている（図４）。
【００４７】
そして、図３、図６に示すように、複数のレンズアレイＬＡ2が長手方向ＬＧＤに並んで配設されている。つまり、この実施形態では、長手方向ＬＧＤに並ぶ複数のレンズアレイＬＡ2をスペーサーＳＰ2が支持して、１つの長尺レンズアレイＬ−ＬＡ2が構成されている。ちなみに、直方形状を有するスペーサーＳＰ2の長さは、レンズアレイＬＡ2の幅方向ＬＴＤの端辺の長手方向ＬＧＤの長さより短く、１枚のレンズアレイＬＡ2は、長手方向ＬＧＤに並ぶ複数のスペーサーＳＰ2で支持される。具体的には、これらスペーサーＳＰ2のうち、中央スペーサーＳＰ2−bはレンズアレイＬＡ2の長手方向ＬＧＤの略中央を支持し、端部スペーサーＳＰ2−aは長手方向ＬＧＤに隣り合う２枚のレンズアレイＬＡ2、ＬＡ2の隙間ＢＤ2を跨いで、該レンズアレイＬＡ2、ＬＡ2を支持する。なお、スペーサーＳＰ2とレンズアレイＬＡ2とは接着剤等により固定されている。
【００４８】
こうして２枚のレンズアレイＬＡ1およびレンズアレイＬＡ2は厚さ方向ＴＫＤに対向して配置されている。その結果、レンズアレイＬＡ1の複数のレンズＬＳ1とレンズアレイＬＡ2の複数のレンズＬＳ2とは一対一の対応関係で対向しており、互いに対向するレンズＬＳ1とレンズＬＳ2とは厚さ方向ＴＫＤからの平面視において重なり合うように、レンズアレイＬＡ1、ＬＡ2は位置調整がされている。
【００４９】
さらに、この実施形態では、長手方向ＬＧＤに長尺な支持ガラスＳＳが設けられている。詳述すると、長手方向ＬＧＤにおいて、この支持ガラスＳＳはレンズアレイＬＡ2よりも長く形成されて、長尺レンズアレイＬ−ＬＡ2と略同じ長さを備えている。そして、この支持ガラスＳＳが長尺レンズアレイＬ−ＬＡ2の一方面に取り付けられており、言わば、支持ガラスＳＳが複数のレンズアレイＬＡ2をスペーサーＳＰ2の逆側から支持している。そして、この支持ガラスＳＳの表面ＳＳ−h（一方平面）が、感光体ドラム２１の表面にクリアランスを空けて対向する。
【００５０】
そして、この実施形態では、厚さ方向ＴＫＤに互いに対向するレンズＬＳ1とレンズＬＳ2とが１個の結像光学系を構成する。この結像光学系は、反転した等倍像あるいは拡大像を形成するものであり、その横倍率は負であるとともに１以上の絶対値を有している。したがって、発光素子Ｅから射出された光ビームは、レンズＬＳ1、ＬＳ2を透過した後に支持ガラスＳＳの表面ＳＳ−hから射出されてスポットＳＴとして感光体ドラム２１表面に照射される（図５）。そして、特開２００８−０３６９３７号公報の図１１等に記載のように、感光体ドラム２１表面の副走査方向ＳＤへの移動に応じて各発光素子Ｅの発光を制御することで、主走査方向ＭＤに伸びるライン潜像を形成することができる。
【００５１】
図７は、ラインヘッドのＡ−Ａ線における部分詳細断面図であり、該断面図を長手方向ＬＧＤ（主走査方向ＭＤ）から見た場合に相当する。同図では、遮光部材２９７は図示されていない。同図面を用いて、ラインヘッド２９のより詳細な構成について説明する。上述してきたとおり、厚さ方向ＴＫＤには２枚のレンズアレイＬＡ1、ＬＡ2が対向して配置されており、しかも、各レンズアレイＬＡ1、ＬＡ2にはレンズＬＳ1、ＬＳ2がアレイ配置されている。そして、厚さ方向ＴＫＤに互いに対向する２枚のレンズＬＳ1、ＬＳ2が１個の結像光学系を構成している。なお、同図では、幅方向ＬＴＤの他方側から一方側へ向って順番に、各結像光学系の光軸に対して符号ＯＡa、ＯＡb、ＯＡcが付されており、また、厚さ方向ＴＫＤからの平面視においてレンズＬＳ1、ＬＳ2が形成されたレンズ形成領域に符号Ｒlsが付されている。
【００５２】
図７に示すように、ヘッド基板表面２９３−hでは、レンズ形成領域Ｒlsの幅方向ＬＴＤの両側にスペーサーＳＰ1が配置されており、これらスペーサーＳＰ1、ＳＰ1にレンズアレイＬＡ1が架設されている。また、レンズアレイＬＡ1表面では、レンズ形成領域Ｒlsの幅方向ＬＴＤの両側にスペーサーＳＰ2が配置されており、これらスペーサーＳＰ2、ＳＰ2にレンズアレイＬＡ2が架設されている。スペーサーＳＰ1は、幅方向ＬＴＤに幅Ｗsp1の直方体形状を有している。スペーサーＳＰ2は、幅方向ＬＴＤに幅Ｗsp2の直方体形状を有しており、また、レンズアレイＬＡ1、ＬＡ2のガラス基板ＳＢよりも高い熱伝導率の材料（鉄等の金属）で構成することもできる。
【００５３】
また、この実施形態では、幅方向ＬＴＤにおけるスペーサーＳＰ2の幅Ｗsp2は、幅方向ＬＴＤにおけるスペーサーＳＰ1の幅Ｗsp1よりも広い。そして、厚さ方向ＴＫＤから平面視した場合に、幅方向ＬＴＤにおいて、スペーサーＳＰ1はスペーサーＳＰ2の内側にすっぽりと収まるように配設されており、換言すれば、幅方向ＬＴＤにおいて、スペーサーＳＰ2の内壁ＩＷ2と外壁ＯＷ2との間にスペーサーＳＰ1の内壁ＩＷ1および外壁ＯＷ1が位置している。ここで、スペーサーＳＰ1、ＳＰ2の内壁ＩＷ1、ＩＷ2はスペーサーＳＰ1、ＳＰ2のレンズ形成領域Ｒls側の壁面であり、スペーサーＳＰ1、ＳＰ2の外壁ＯＷ1、ＯＷ2はスペーサーＳＰ1、ＳＰ2のレンズ形成領域Ｒlsに対して反対側の壁面である。
【００５４】
以上のように、本実施形態では、幅方向ＬＴＤにおけるスペーサーＳＰ2の幅Ｗsp2は、幅方向ＬＴＤにおけるスペーサーＳＰ1の幅Ｗsp1よりも広い。次に、スペーサーＳＰ1、ＳＰ2の幅Ｗsp1、Ｗsp2をこのように構成した理由について、図７のほかに図８を用いて説明する。ここで、図８は、スペーサーＳＰ2の幅をスペーサーＳＰ1の幅よりも広くした理由の説明図であり、この実施形態の構成（同図右半分）のほかに参考形態（同図左半分）が併記されている。そして、図８の符号Ｑ1〜Ｑ5が付された矢印は矢印方向に伝導する熱を示しており、各矢印の太さが熱Ｑ1〜Ｑ5の熱量を模式的に表している。
【００５５】
このように構成されたラインヘッド２９では、ヘッド基板２９３の発光素子Ｅが発熱に伴って発熱して、スペーサーＳＰ1を介してレンズアレイＬＡ1にまで熱が伝導することで、次のような問題が生じるおそれがあった。つまり、このラインヘッド２９では、発光素子Ｅからの光は、レンズＬＳ1がから射出された後にレンズＬＳ2に入射することで、レンズＬＳ1およびレンズＬＳ2が構成する結像光学系から光学的作用を受ける。しかも、この結像光学系の横倍率の絶対値は１以上である。このような構成では、発光素子Ｅにより近いレンズＬＳ1（つまり、物体側のレンズ）の位置が結像光学系の結像性能等の光学的性能に大きく影響することとなる。そのため、ヘッド基板２９３からスペーサーＳＰ1を介してレンズアレイＬＡ1に伝導すると、当該レンズアレイに配設されたレンズＬＳ1が熱変形を起こして光学的統制が変化したり、レンズアレイＬＡ1が熱変形を起こして、レンズＬＳ1の位置が変動したりする場合があった。その結果、結像光学系の光学的性能が悪化してしまうおそれがあった。
【００５６】
そこで、かかる問題に対応すべく、このラインヘッド２９では、スペーサーＳＰ2の幅Ｗsp2はスペーサーＳＰ1の幅Ｗsp1よりも広い。つまり、この実施形態のラインヘッド２９は、スペーサーＳＰ1とスペーサーＳＰ2とでレンズアレイＬＡ1を挟み込んだような構成を備えている。したがって、スペーサーＳＰ2の幅Ｗsp2をスペーサーＳＰ1の幅Ｗsp1よりも広くすることで、スペーサーＳＰ1からレンズアレイＬＡ1に伝導した熱をスペーサーＳＰ2で吸収することができる。図８を用いて参考形態と実施形態とを比較しながら説明すると、同図に示すように、スペーサーＳＰ1の幅Ｗsp1とスペーサーＳＰ2の幅Ｗsp2とが等しい参考形態では、発光素子ＥからスペーサーＳＰ1を介してレンズアレイＬＡ1に伝導した熱Ｑ1のうちの一部はスペーサーＳＰ2で吸収されるが、比較的多い熱量の熱Ｑ3がレンズアレイＬＡ1に残存する。一方、実施形態では、発光素子ＥからスペーサーＳＰ1を介してレンズアレイＬＡ1に伝導した熱Ｑ1のうち多くの部分の熱Ｑ4がスペーサーＳＰ2に吸収されており、レンズアレイＬＡ1に残存する熱Ｑ5が抑制されている。このように、この実施形態では、スペーサーＳＰ2がレンズアレイＬＡ1を冷却する機能を果たすため、レンズアレイＬＡ1および当該レンズアレイＬＡ1に配設されたレンズＬＳ1の熱変形を抑えて、レンズＬＳ1およびレンズＬＳ2が構成する結像光学系が適切な光学的性能を発揮することが可能となっている。
【００５７】
また、この実施形態では、レンズアレイＬＡ1（のガラス基板ＳＢ）にスペーサーＳＰ2が配置されている。そして、このスペーサーＳＰ2の熱伝導率は、レンズアレイＬＡ1（のガラス基板ＳＢ）の熱伝導率よりも高いほうが望ましい。その場合、レンズアレイＬＡ1からスペーサーＳＰ2への熱伝導を促進することが可能となっており、その結果、レンズアレイＬＡ1および当該レンズアレイＬＡ1に配設されたレンズＬＡ1の熱変形をより確実に抑えて、レンズＬＳ1およびレンズＬＳ2が構成する結像光学系が適切な光学的性能をより確実に発揮することができる。
【００５８】
その他
以上のように、上記実施形態では、ラインヘッド２９が本発明の「露光ヘッド」に相当する。また、ヘッド基板２９３が本発明の「発光素子基板」に相当し、レンズアレイＬＡ1が本発明の「第１のレンズアレイ」に相当し、レンズアレイＬＡ2が本発明の「第２のレンズアレイ」に相当し、レンズＬＳ1が本発明の「第１のレンズ」に相当し、レンズＬＳ2が本発明の「第２のレンズ」に相当し、スペーサーＳＰ1が本発明の「第１のスペーサー」に相当し、スペーサーＳＰ2が本発明の「第２のスペーサー」に相当し、レンズＬＳ1およびレンズＬＳ2が構成する結像光学系が本発明の「光学系」に相当している。また、長手方向ＬＧＤ、主走査方向ＭＤが本発明の「第１の方向」に相当し、幅方向ＬＴＤ、副走査方向ＳＤが本発明の「第２の方向」に相当し、スペーサーＳＰ1の幅Ｗsp1が本発明の「第１のスペーサーの第２の方向の長さ」に相当し、スペーサーＳＰ2の幅Ｗsp2が本発明の「第２のスペーサーの第２の方向の長さ」に相当する。
【００５９】
なお、本発明は上記実施形態に限定されるものではなく、その趣旨を逸脱しない限りにおいて上述したものに対して種々の変更を加えることが可能である。例えば、ヘッド基板２９３の裏面２９３−tに、ＴＦＴ(Thin Film Transistor）等の駆動素子を設けて、当該駆動素子により発光素子Ｅを駆動させるように構成しても良い。なお、このような構成に対しては、本発明を適用することが特に好適である。つまり、駆動素子は発光素子Ｅの駆動に伴って発熱するため、この駆動素子からの熱が上述したような伝導経路を介してレンズアレイＬＡ1に伝導するおそれがある。したがって、駆動素子をヘッド基板２９３に配設したラインヘッド２９に対しては、本発明を適用することで、レンズアレイＬＡ1への熱伝導を抑制して、レンズＬＳ1およびレンズＬＳ2が構成する結像光学系の光学的性能を担保することが好適となる。
【００６０】
また、上記実施形態では、支持ガラスＳＳが設けられていたが、支持ガラスＳＳを設けないように構成することもできる。
【００６１】
また、レンズアレイＬＡ1、ＬＡ2等の各部材の寸法関係についても、種々の変更が可能である。
【００６２】
また、上記実施形態では、複数のレンズアレイＬＡ1は、同一の形状および大きさを備えていたが、これらについても種々の変更が可能である。さらに、複数のレンズアレイＬＡ2についても同様の変更が可能である。
【００６３】
また、上記実施形態では、複数のスペーサーＳＰ1は、同一の形状および大きさを備えていたが、これらについても種々の変更が可能である。さらに、複数のスペーサーＳＰ2についても同様の変更が可能である。
【００６４】
また、上記実施形態の結像光学系は、反転像を形成するものであったが、正転像（つまり、反転していない像）を形成するものであっても良い。
【００６５】
また、上記実施形態では、レンズアレイＬＡ1の裏面（厚さ方向ＴＫＤの他方面）にレンズＬＳ1が形成されていたが、レンズＬＳ1の形成位置はこれに限られない。レンズアレイＬＡ2のレンズＬＳ2についても同様である。
【００６６】
また、上記実施形態では、各レンズアレイＬＡ1、ＬＡ2において３行千鳥でレンズが並んでいたが、レンズの配置態様はこれに限られない。
【００６７】
また、上記実施形態では、レンズアレイＬＡ1、ＬＡ2は、ガラス製の光透過性基板ＳＢに樹脂製のレンズＬＳ1、ＬＳ2を形成したものであった。しかしながら、レンズアレイＬＡ1、ＬＡ2を１つの材料で一体的に構成することもできる。
【００６８】
また、上記実施形態では、複数の発光素子グループＥＧは３行千鳥で配置されていたが、複数の発光素子グループＥＧの配置態様はこれに限られない。
【００６９】
また、上記実施形態では、１５個の発光素子Ｅから発光素子グループＥＧが構成されている。しかしながら、発光素子グループＥＧを構成する発光素子Ｅの個数はこれに限られない。
【００７０】
また、上記実施形態では、発光素子グループＥＧ内において、複数の発光素子Ｅが２行千鳥で配置されていたが、発光素子グループＥＧ内での複数の発光素子Ｅの配置態様はこれに限られない。
【００７１】
また、上記実施形態では、発光素子Ｅとしてボトムエミッション型の有機ＥＬ素子が用いられている。しかしながら、トップエミッション型の有機ＥＬ素子を発光素子Ｅとして用いても良く、あるいは有機ＥＬ素子以外のＬＥＤ（Light Emitting Diode）等を発光素子Ｅとして用いても良い。
【符号の説明】
【００７２】
２９３…ヘッド基板（発光素子基板）、  ＬＡ1、ＬＡ2…レンズアレイ、  ＬＳ1、ＬＳ2…レンズ（結像光学系）、  ＳＰ1、ＳＰ2…スペーサー
【図１】
2011051235.tif 000003
【図２】
2011051235.tif 000004
【図３】
2011051235.tif 000005
【図４】
2011051235.tif 000006
【図５】
2011051235.tif 000007
【図６】
2011051235.tif 000008
【図７】
2011051235.tif 000009
【図８】
2011051235.tif 000010